(57)【要約】      （修正有）【課題】どこにでも置いたり掛けたりして、使用済みの輪ゴムを収容し、収容した輪ゴムの何れでも特に１本を簡単に取り外して使用できる簡易輪ゴム掛具を提供する。【解決手段】リング状の輪ゴムを収容し且つ取り外す枠体状の輪ゴム掛具において、枠体１０の後部に支持体１１を具備し、枠体１０の下部に輪ゴム収容掛部１２を有し、枠体１０の上部に枠外から枠内に亘り対面した間隙に切欠いた輪ゴム挿出入部１３を形成し、前記切欠部の枠外側と枠内測に輪ゴムガイド１４ａ，１４ｂを形成して簡易輪ゴム掛具を構成する。さらに、枠体の一部に輪ゴムを複数本掛け外しする際に開閉する開閉部を設けても良い。【選択図】図１
0003156104.tif 000002
【実用新案登録請求の範囲】
【請求項１】
リング状の輪ゴムを収容し且つ取り外す枠体状の輪ゴム掛具において、枠体の後部に支持体を具備し、枠体の下部に輪ゴム収容掛部を有し、枠体の上部に枠外から枠内に亘り対面間隙に切欠いた輪ゴム挿出入部を形成し、前記切欠部の枠外側と枠内側に輪ゴムガイドを形成したことを特徴とする簡易輪ゴム掛具。
【考案の詳細な説明】
【技術分野】
【０００１】  本考案は、どこにでも置いたり掛たりして、使用済みの輪ゴムを収容し、収容した輪ゴムの何れでも簡単に取り外して使用できる簡易輪ゴム掛具に関するものである。
【背景技術】
【０００２】  輪ゴムを掛ける装置として特許文献３〜特許文献６にて紹介のものが多々存在するがその何れも工業的に輪ゴムを取り扱うもので本考案のジャンルから除外する。【０００３】  簡易な輪ゴム掛具としては、特許文献１や特許文献２で紹介のものがある。
特許文献１で紹介のものは、特許文献１によれば、図４に示すように、輪ゴムを使用する際に作業能率を向上しうる輪ゴム掛け固定器具として、使用者手首近くの腕に２をはめ込み，必要な数の輪ゴム１６を３に脱着できるようにし，必要に応じ，ある種類の物を押さえたまま、他腕指先にて輪ゴムを取り出し、ある種類の物から手を放さず，輪ゴムを装着できるように設けた輪ゴム掛け固定器具である。
特許文献２で紹介のものは、特許文献１によれば、図５に示すようにポリプロピレンシート１の裏側に直接マグネット２を設け、ポリプロピレンシート１に折り線３を施し、ポリプロピレンシート１を折り線３に沿ってＶの字に曲げたことを特徴とする輪ゴム掛けである。
しかし、特許文献１で紹介の輪ゴム掛け固定器具は、２を手首に嵌めて使用するもので弾性体で形成した開閉部７、１４Ａを有し、開閉部の奥に輪ゴム収容リング枠３を形成し、このリング枠の下部を手首に嵌めるリングに装着したシンプルなものであるが、輪ゴム収容リングから輪ゴムを取り出すには一旦開閉部を押してある程度の隙間を形成した所謂開状態にしながら輪ゴムを取り出さなければならない煩雑さがある。またどこにでも置けるものでもなく手首に限定され用途が極めて狭い。
特許文献１で紹介の輪ゴム掛けは、吸着保持用のマグネットを包設したポリプロピレンシートで折形成してＶの字に曲げて突起状にしたハンガーに輪ゴムを掛け外しするものであるため、振動による脱落が多く、又一本ずつの取り外しの際、他の輪ゴムとの別離が困難で数本を外してしまう等の問題があり実用的ではない。
【特許文献１】特開２００５−０５８７６３号公報
【特許文献２】実登３０２５５１４号公報
【特許文献３】特開２０００−３０２３２０号公報
【特許文献４】特開平１０−１１４３０６号公報
【特許文献５】特許３１６３４７７号公報
【特許文献６】実登３０２９６６９号公報
【考案の開示】
【考案が解決しようとする課題】
【０００４】  本考案は、どこにでも置いたり掛けたりして、使用済みの輪ゴムを収容し、収容した輪ゴムの何れでも特に１本を簡単に取り外して使用できる簡易輪ゴム掛具を提供するものである。
【課題を解決するための手段】
【０００５】  本考案は上記問題を解決するためになされたものでありその特徴とするところは、次の（１）ある。【０００６】（１）リング状の輪ゴムを収容し取り外す枠体状の輪ゴム掛具において、枠体の後部に支持体を具備し、枠体の下部に輪ゴム収容掛部を有し、枠体の上部に枠外から枠内に亘り対面間隙に切欠いた輪ゴム挿出入部を形成し、前記切欠部の枠外側と枠内側に輪ゴムガイドを形成した簡易輪ゴム掛具。
（２）枠体の一部に輪ゴムを複数本掛け外しする際に開閉する開閉部を設けた前記（１）記載の簡易輪ゴム掛具。
【考案の効果】
【０００７】  本考案の簡易輪ゴム掛具は、ご家庭、事務所、学校などのどこにでも置いたり掛けたりして、使用済みの輪ゴムを収容し、収容した輪ゴムの何れでも特に任意に取った１本を簡単に確実に枠外に取り外して使用することができるものである。
簡易輪ゴム掛具は、枠体１０の上部に輪ゴム挿出入部１３を枠外から枠内に亘り対面した間隙となる切欠に形成してあるから、簡易輪ゴム掛具を斜めにしても逆さにしても輪ゴムは枠外に簡単には放出されない。しかし手での輪ゴム入れと取り外しは対面間隙の輪ゴム挿出入部１３から簡単に実施できる優れものである。
【考案を実施するための最良の形態】
【０００８】本考案を実施するための最良の形態は、以下に記載の実施例１により詳細に紹介する
【実施例１】
【０００９】実施例１は図１〜図３に示す。
図１は、リング状の輪ゴムを収容した状態の輪ゴム掛具の側面説明図であり、図２は輪ゴムを収容する際の状態を示す側面説明図であり、図３は収容した輪ゴムを枠外に取り出す際の状態を示す側面説明図である。
図１〜図３において、簡易輪ゴム掛具ＴＴ１は、愛くるしい動物の口を開いた頭部や、自己のアイドルなど日常生活で見てほほえましい形にした枠体１０の後部に支持体１１を具備し、支持体１１の背部に永久磁石を配置し、枠体１０の下部に顎状の輪ゴム収容掛部１２を有し、枠体１０の上部に枠外から枠内に亘り対面間隙に切欠いた輪ゴム挿出入部１３を形成し、前記輪ゴム挿出入部１３の枠外側に少しずらして受け顎状に突出形成した輪ゴムガイド１４ａと、枠内側に対面間隙に誘導する輪ゴムガイド１４ｂを傾斜させて形成したものである。【００１０】  この構成により、輪ゴム挿出入部１３から輪ゴムＧを枠内に挿入する際は、図２に示すように、輪ゴムＧの一部を輪ゴムガイド１４ａに掛けて引き下げ輪ゴム挿出入部１３の対面間隙内を通過させるのみで輪ゴムＧの一部を簡単に枠内に挿入でき輪ゴム収容掛部１２内に掛け収容することができる。
また輪ゴム収容掛部１２内に掛け収容した輪ゴムＧを枠外に取り出す際は、輪ゴム収容掛部１２内にあるどの輪ゴムＧでもよいから指で掴み、その一部のみを輪ゴム挿出入部１３の輪ゴムガイド１４ｂに導入して対面間隙内を引き上げて枠外に挿出し、その後枠外に挿出した部分を矢印のように下に引き下ろせば輪ゴム収容掛部１２内にある他の輪ゴムＧと絡まずに枠外に容易に挿出することができるのである。
【産業上の利用可能性】
【００１１】  本考案の簡易輪ゴム掛具は、前述のように、ご家庭、事務所、学校などのどこにでも置いたり掛けたりして、使用済みの輪ゴムを収容し、収容した輪ゴムの何れでも特に任意に取った１本を簡単に確実に枠外に取り外して使用することができるものである。このため輪ゴム産業界に間接的に貢献すること多大なものがある。
【図面の簡単な説明】
【００１２】
【図１】本考案の実施例１の輪ゴム掛具の側面説明図である。
【図２】実施例１において輪ゴムを収容する際の状態を示す側面説明図である。
【図３】実施例１において収容した輪ゴムを枠外に取り出す際の状態を示す側面説明図である。
【図４】特許文献１の紹介の輪ゴム掛け固定器具を示す図である。
【図５】特許文献２の紹介の輪ゴム掛けを示す図である。
【符号の説明】
【００１３】ＴＴ１、ＴＴ２    簡易輪ゴム掛具
１０              枠体
１１              支持体
１２              輪ゴム収容掛部
１３              輪ゴム挿出入部
１４ａ，１４ｂ    輪ゴムガイド
【図１】
0003156104.tif 000003
【図２】
0003156104.tif 000004
【図３】
0003156104.tif 000005
【図４】
0003156104.tif 000006
【図５】
0003156104.tif 000007